(57)【特許請求の範囲】
【請求項１】
一対の直流供給線路を介して直流電源に接続され、当該直流電源からの電力供給を受けて光源を点灯させる光源点灯装置であって、
直流供給線路から入力される電圧を入力電圧として検出する電圧検出手段と、
直流供給線路から入力される電流を入力電流として検出する電流検出手段と、
互いに光源の光出力の大きさが異なる第１動作状態および第２動作状態の２つの動作状態を切り替え、第１動作状態における入力電圧と第２動作状態における入力電圧との差分を、第２動作状態における入力電流と第１動作状態における入力電流との差分で除することにより直流供給線路のインピーダンスを測定する測定手段と、
測定手段で測定された直流供給線路のインピーダンスが所定の閾値以上か否かを判断し、閾値以上でなければ光源の光出力を定常点灯時の光出力とし、閾値以上であれば光源の光出力を定常点灯時に比べて低くする制御手段と
を備えることを特徴とする光源点灯装置。
【請求項２】
前記測定手段は、前記光源を点灯させる状態と消灯させる状態とをそれぞれ前記第１動作状態および前記第２動作状態とすることを特徴とする請求項１記載の光源点灯装置。
【請求項３】
前記光源は自己に流れる電流の大きさを光出力の大きさに反映するものであって、前記制御手段は、前記直流供給線路のインピーダンスが前記閾値以上のときに、光源に流す電流を前記定常点灯時に比べて低くすることを特徴とする請求項１または請求項２に記載の光源点灯装置。
【請求項４】
前記光源は自己へ供給される電力の大きさを光出力の大きさに反映するものであって、前記制御手段は、前記直流供給線路のインピーダンスが前記閾値以上のときに、光源に供給する電力を前記定常点灯時に比べて低くすることを特徴とする請求項１または請求項２に記載の光源点灯装置。
【請求項５】
前記測定手段は、前記光源が点灯した時点から所定の測定時間内に、前記第１動作状態と前記第２動作状態とを切り替え、前記直流供給線路のインピーダンスを測定することを特徴とする請求項１ないし請求項４のいずれか１項に記載の光源点灯装置。
【請求項６】
前記測定手段は、前記直流供給線路のインピーダンスの測定を繰り返し行い、前記制御手段は、前記光源の光出力を前記定常点灯時に比べて低くしているときに、測定手段で測定される直流供給線路のインピーダンスが前記閾値を下回ると、光源の光出力を前記定常点灯時の光出力に上昇させることを特徴とする請求項１ないし請求項５のいずれか１項に記載の光源点灯装置。
【請求項７】
前記直流電源の出力電圧は５０Ｖ以下であることを特徴とする請求項１ないし請求項６のいずれか１項に記載の光源点灯装置。
【請求項８】
請求項１ないし請求項７のいずれか１項に記載の光源点灯装置を器具本体に備えることを特徴とする照明器具。
【請求項９】
請求項８に記載の照明器具が同一の直流供給線路に対して複数台接続されていることを特徴とする照明システム。
【発明の詳細な説明】
【技術分野】
【０００１】
本発明は、一対の直流供給線路を介して直流電源に接続され、直流電源からの電力供給を受けて光源を点灯させる光源点灯装置、照明器具、照明システムに関するものである。
【背景技術】
【０００２】
従来から、直流電力が供給される照明器具においては、直流電源（たとえば自動車のバッテリなど）に対し一対の直流供給線路を介して接続され、たとえば発光ダイオード（ＬＥＤ）等の光源を点灯させるように構成された種々の光源点灯装置が用いられている。
【０００３】
この種の光源点灯装置は、一般的に、直流供給線路から入力される電圧（以下、入力電圧という）Ｖｉｎが変動しても光源の光出力を規定値に維持するよう光源を点灯させる点灯手段（光源が発光ダイオードの場合、光源に定電流を流す定電流回路）を備えている（たとえば特許文献１参照）。そのため、入力電圧Ｖｉｎと直流供給線路から入力される電流（以下、入力電流という）Ｉｉｎとの積で表される入力電力Ｗｉｎ＝Ｖｉｎ×Ｉｉｎ（回路効率は一定とする）は、入力電圧Ｖｉｎの変動にかかわらず一定に維持される。
【特許文献１】特開２００６−２１０８３６号公報（第３頁）
【発明の開示】
【発明が解決しようとする課題】
【０００４】
ところで、この種の光源点灯装置を使用する場合、たとえば直流供給線路の劣化などにより直流供給線路のインピーダンスが増加したことに起因して、直流電源と光源点灯装置との間で生じる電圧降下が大きくなることがある。このように直流電源と光源点灯装置との間の電圧降下が大きくなると、直流電源の出力電圧が一定であっても、直流供給線路から光源点灯装置に入力される入力電圧Ｖｉｎが低下する。
【０００５】
ここで、光源点灯装置は、上述したように光源の光出力を規定値に維持する点灯手段（たとえば定電流回路）を備えているので、入力電力Ｗｉｎは一定に保たれており、直流供給線路からの入力電圧Ｖｉｎが低下すると、Ｉｉｎ＝Ｗｉｎ／Ｖｉｎの関係により入力電流Ｉｉｎが上昇する。このとき、直流供給線路に流れる電流の上昇に伴い直流供給線路のインピーダンスＺにより生じる電圧降下が大きくなり、直流電源の出力電圧Ｖｏが一定であっても、Ｖｉｎ＝Ｖｏ−Ｉｉｎ×Ｚの関係により入力電圧Ｖｉｎがさらに低下し、その結果、たとえば光源を点灯させることができない、あるいは光源点灯装置と同じ直流供給線路に接続されている全ての負荷が入力電圧の低下により正常に動作しないなどの不具合を生じる可能性がある。
【０００６】
本発明は上記事由に鑑みてなされたものであって、直流供給線路のインピーダンスが増加したことに起因して直流供給線路からの入力電圧が低下したときに、当該入力電圧のさらなる低下を防止して光源を点灯させることができる光源点灯装置、照明器具、照明システムを提供することを目的とする。
【課題を解決するための手段】
【０００７】
請求項１の発明は、一対の直流供給線路を介して直流電源に接続され、当該直流電源からの電力供給を受けて光源を点灯させる光源点灯装置であって、直流供給線路から入力される電圧を入力電圧として検出する電圧検出手段と、直流供給線路から入力される電流を入力電流として検出する電流検出手段と、互いに光源の光出力の大きさが異なる第１動作状態および第２動作状態の２つの動作状態を切り替え、第１動作状態における入力電圧と第２動作状態における入力電圧との差分を、第２動作状態における入力電流と第１動作状態における入力電流との差分で除することにより直流供給線路のインピーダンスを測定する測定手段と、測定手段で測定された直流供給線路のインピーダンスが所定の閾値以上か否かを判断し、閾値以上でなければ光源の光出力を定常点灯時の光出力とし、閾値以上であれば光源の光出力を定常点灯時に比べて低くする制御手段とを備えることを特徴とする。
【０００８】
この構成によれば、制御手段は、測定手段で測定された直流供給線路のインピーダンスが所定の閾値以上のときに光源の光出力を定常点灯時に比べて低くするので、直流供給線路のインピーダンスが増加して閾値以上になると、直流電源と光源点灯装置との間で生じる電圧降下が大きくなって入力電圧が低下するものの、光源の光出力を定常点灯時に比べて低くすることにより、入力電圧の低下に伴う入力電流の上昇を抑制することができる。要するに、直流供給線路からの入力電圧の低下に伴って直流供給線路に流れる電流が上昇することを抑制でき、したがって、直流供給線路に流れる電流の上昇に伴い直流電源と光源点灯装置との間で生じる電圧降下がさらに大きくなることを防止できる。すなわち、直流供給線路のインピーダンスが増加したことに起因して直流供給線路から光源点灯装置への入力電圧が低下したときに、当該入力電圧のさらなる低下を防止することができ、その結果、たとえば光源を点灯させることができない、あるいは光源点灯装置と同じ直流供給線路に接続されている他の負荷が入力電圧の低下により正常に動作しないなどの不具合を回避できる。
【０００９】
請求項２の発明は、請求項１の発明において、前記測定手段が、前記光源を点灯させる状態と消灯させる状態とをそれぞれ前記第１動作状態および前記第２動作状態とすることを特徴とする。
【００１０】
この構成によれば、測定手段は、光源点灯時の入力電圧および入力電流と光源消灯時の入力電圧および入力電流とを用いて直流供給線路のインピーダンスを測定するので、直流供給線路のインピーダンスを測定する際における光源点灯時の光源の光出力を任意の大きさに設定することができる。また、インピーダンスを測定する際に光源を点滅させるだけでよいから、光源の光出力を切り替える処理が簡単になり、さらに、光源消灯時の入力電流はゼロになるから、インピーダンスを求める演算処理も簡単になる。
【００１１】
請求項３の発明は、請求項１または請求項２の発明において、前記光源が自己に流れる電流の大きさを光出力の大きさに反映するものであって、前記制御手段が、前記直流供給線路のインピーダンスが前記閾値以上のときに、光源に流す電流を前記定常点灯時に比べて低くすることを特徴とする。
【００１２】
この構成によれば、制御手段は、光源に流す電流を低下させることで光源の光出力を定常点灯時に比べて低くするので、たとえば発光ダイオードや有機ＥＬのように、自己に流れる電流の大きさを光出力の大きさに反映する光源を用いて、請求項１の発明を実現することができる。
【００１３】
請求項４の発明は、請求項１または請求項２の発明において、前記光源が自己へ供給される電力の大きさを光出力の大きさに反映するものであって、前記制御手段が、前記直流供給線路のインピーダンスが前記閾値以上のときに、光源に供給する電力を前記定常点灯時に比べて低くすることを特徴とする。
【００１４】
この構成によれば、制御手段は、光源に供給する電力を低下させることで光源の光出力を定常点灯時に比べて低くするので、たとえば高輝度放電灯や蛍光灯のように、自己へ供給される電力の大きさを光出力の大きさに反映する光源を用いて、請求項１の発明を実現することができる。
【００１５】
請求項５の発明は、請求項１ないし請求項４のいずれかの発明において、前記測定手段が、前記光源が点灯した時点から所定の測定時間内に、前記第１動作状態と前記第２動作状態とを切り替え、前記直流供給線路のインピーダンスを測定することを特徴とする。
【００１６】
この構成によれば、測定手段は、光源が点灯した時点から所定の測定時間内に第１動作状態と第２動作状態とを切り替えるので、光源が点灯した時点から測定時間経過後の定常点灯時に、第１動作状態と第２動作状態とが切り替わることで光源にちらつきが生じることを回避することができる。
【００１７】
請求項６の発明は、請求項１ないし請求項５のいずれかの発明において、前記測定手段が、前記直流供給線路のインピーダンスの測定を繰り返し行い、前記制御手段が、前記光源の光出力を前記定常点灯時に比べて低くしているときに、測定手段で測定される直流供給線路のインピーダンスが前記閾値を下回ると、光源の光出力を前記定常点灯時の光出力に上昇させることを特徴とする。
【００１８】
この構成によれば、直流供給線路の劣化などにより直流供給線路のインピーダンスが一旦閾値以上になっても、直流供給線路の交換・補修などにより直流供給線路のインピーダンスが閾値を下回ると、自動的に、光源の光出力を定常点灯時の光出力に復帰させることができる。
【００１９】
請求項７の発明は、請求項１ないし請求項６のいずれかの発明において、前記直流電源の出力電圧が５０Ｖ以下であることを特徴とする。
【００２０】
この構成によれば、直流供給線路からの入力電圧が５０Ｖ以下の比較的狭い範囲では、入力電圧が５０Ｖを超える場合に比べて、入力電圧の低下による影響が大きくなり負荷が正常に動作しない可能性が高くなるので、直流供給線路から光源点灯装置への入力電圧が低下したときに当該入力電圧のさらなる低下を防止できることは特に有用である。
【００２１】
請求項８の発明は、請求項１ないし請求項７のいずれか１項に記載の光源点灯装置を器具本体に備えることを特徴とする。
【００２２】
この構成によれば、直流供給線路のインピーダンスが増加して閾値以上になると、直流電源と光源点灯装置との間で生じる電圧降下が大きくなって入力電圧が低下するものの、光源の光出力を定常点灯時に比べて低くすることにより、入力電圧の低下に伴って直流供給線路に流れる電流が上昇することを抑制でき、したがって、直流供給線路に流れる電流の上昇に伴い直流電源と光源点灯装置との間で生じる電圧降下がさらに大きくなることを防止できる。すなわち、直流供給線路のインピーダンスが増加したことに起因して直流供給線路から光源点灯装置への入力電圧が低下したときに、当該入力電圧のさらなる低下を防止することができる。
請求項９の発明は、請求項８に記載の照明器具が同一の直流供給線路に対して複数台接続されていることを特徴とする。
この構成によれば、直流供給線路のインピーダンスが増加して閾値以上になると、直流電源と光源点灯装置との間で生じる電圧降下が大きくなって入力電圧が低下するものの、光源の光出力を定常点灯時に比べて低くすることにより、入力電圧の低下に伴って直流供給線路に流れる電流が上昇することを抑制でき、したがって、直流供給線路に流れる電流の上昇に伴い直流電源と光源点灯装置との間で生じる電圧降下がさらに大きくなることを防止できる。すなわち、直流供給線路のインピーダンスが増加したことに起因して直流供給線路から光源点灯装置への入力電圧が低下したときに、当該入力電圧のさらなる低下を防止することができる。
【発明の効果】
【００２３】
本発明は、直流供給線路のインピーダンスの増加に伴い直流供給線路から光源点灯装置への入力電圧が低下したときに当該入力電圧のさらなる低下を防止して光源を点灯させることができるという効果がある。
【発明を実施するための最良の形態】
【００２４】
以下の各実施形態で説明する光源点灯装置は、図２に示すように、たとえば住宅などの分電盤１１０内に配設したＡＣ／ＤＣコンバータ１１２によって商用電源等の交流電源ＡＣを直流電源に変換し、各部屋に設置され正極および負極の一対の給電部を有する直流コンセント１３１等の直流アウトレットに対して分電盤１１０から直流電力を配電するＤＣ配電システムに用いられるものである。
【００２５】
ここで、ＤＣ配電システムについて以下に図２を参照して簡単に説明する。
【００２６】
以下の説明では、ＤＣ配電システムを適用する建物として戸建て住宅の家屋を想定して説明するが、ＤＣ配電システムの技術思想を集合住宅に適用することを妨げるものではない。家屋Ｈには、図２に示すように、直流電力を出力する直流電力供給部１０１と、直流電力により駆動される負荷としての直流機器１０２とが設けられ、直流電力供給部１０１の出力端部に接続した直流供給線路Ｗｄｃを通して直流機器１０２に直流電力が供給される。直流電力供給部１０１と直流機器１０２との間には、直流供給線路Ｗｄｃに流れる電流を監視し、異常を検知したときに直流給電線路Ｗｄｃ上で直流電力供給部１０１から直流機器１０２への給電を制限ないし遮断する直流ブレーカ１１４が設けられる。
【００２７】
直流供給線路Ｗｄｃは、直流電力の給電路であるとともに通信路としても兼用されており、高周波の搬送波を用いてデータを伝送する通信信号を直流電圧に重畳することにより直流供給線路Ｗｄｃに接続された機器間での通信を可能にしている。この技術は、交流電力を供給する電力線において交流電圧に通信信号を重畳させる電力線搬送技術と類似した技術である。
【００２８】
直流供給線路Ｗｄｃは、直流電力供給部１０１を介して宅内サーバ１１６に接続される。宅内サーバ１１６は、宅内の通信網（以下、「宅内網」という）を構築する主装置であり、宅内網において直流機器１０２が構築するサブシステムなどと通信を行う。
【００２９】
図示例では、サブシステムとして、パーソナルコンピュータ、無線アクセスポイント、ルータ、ＩＰ電話機のような情報系の直流機器１０２からなる情報機器システムＫ１０１、照明器具のような照明系の直流機器１０２からなる照明システムＫ１０２，Ｋ１０５、来客対応や侵入者の監視などを行う直流機器１０２からなるインターホンシステムＫ１０３、火災感知器のような警報系の直流機器１０２からなる住警器システムＫ１０４などがある。各サブシステムは、自立分散システムを構成しており、サブシステム単独でも動作が可能になっている。
【００３０】
上述した直流ブレーカ１１４は、サブシステムに関連付けて設けられており、図示例では、情報機器システムＫ１０１、照明システムＫ１０２およびインターホンシステムＫ１０３、住警器システムＫ１０４、照明システムＫ１０５に関連付けて４個の直流ブレーカ１１４を設けている。１台の直流ブレーカ１１４に複数個のサブシステムを関連付ける場合には、サブシステムごとに直流供給線路Ｗｄｃの系統を分割する接続ボックス１２１が設けられる。図示例においては、照明システムＫ１０２とインターホンシステムＫ１０３との間に接続ボックス１２１が設けられている。
【００３１】
情報機器システムＫ１０１としては、壁コンセントあるいは床コンセントの形態で家屋Ｈに先行配置（家屋Ｈの建築時に施工）される直流コンセント１３１に接続される直流機器１０２からなる情報機器システムＫ１０１が設けられる。
【００３２】
照明システムＫ１０２、Ｋ１０５としては、家屋Ｈに先行配置される照明器具（直流機器１０２）からなる照明システムＫ１０２と、天井に先行配置される引掛シーリング１３２に接続する照明器具（直流機器１０２）からなる照明システムＫ１０５とが設けられる。引掛シーリング１３２には、家屋Ｈの内装施工時に施工業者が照明器具を取り付けるか、または家人自身が照明器具を取り付ける。
【００３３】
照明システムＫ１０２を構成する直流機器１０２である照明器具に対する制御の指示は、赤外線リモコン装置を用いて与えるほか、直流供給線路Ｗｄｃに接続されたスイッチ１４１から通信信号を用いて与えることができる。すなわち、スイッチ１４１は直流機器１０２とともに通信の機能を有している。また、スイッチ１４１の操作によらず、宅内網の別の直流機器１０２あるいは宅内サーバ１１６から通信信号により制御の指示がなされることもある。照明器具への指示には、点灯、消灯、調光、点滅点灯などがある。
【００３４】
上述した直流コンセント１３１、引掛シーリング１３２には、任意の直流機器１０２を接続することができ、接続された直流機器１０２に直流電力を出力するから、以下では直流コンセント１３１、引掛シーリング１３２を区別する必要がない場合には「直流アウトレット」と呼ぶ。
【００３５】
これらの直流アウトレットは、直流機器１０２に直接設けた接触子（図示せず）または接続線を介して設けた接触子（図示せず）が差し込まれる差込式の接続口（給電部）が器体に開口し、接続口に差し込まれた接触子に直接接触する接触子受けが器体に保持された構造を有している。すなわち、直流アウトレットは接触式で給電を行う。直流アウトレットに接続された直流機器１０２が通信機能を有する場合には、直流供給線路Ｗｄｃを通して通信信号を伝送することが可能になる。直流機器１０２だけではなく直流アウトレットにも通信機能が設けられている。
【００３６】
宅内サーバ１１６は、宅内網に接続されるだけではなく、インターネットを構築する広域網ＮＴに接続される接続口を有している。宅内サーバ１１６が広域網ＮＴに接続されている場合には、広域網ＮＴに接続されたコンピュータサーバであるセンタサーバ２００によるサービスを享受することができる。
【００３７】
センタサーバ２００が提供するサービスには、広域網ＮＴを通して宅内網に接続された機器（主として直流機器１０２であるが通信機能を有した他の機器も含む）の監視や制御を可能にするサービスがある。このサービスにより、パーソナルコンピュータ、インターネットＴＶ、移動体電話機などのブラウザ機能を備える通信端末（図示せず）を用いて宅内網に接続された機器の監視や制御が可能になる。
【００３８】
宅内サーバ１１６は、広域網ＮＴに接続されたセンタサーバ２００との間の通信と、宅内網に接続された機器との間の通信との両方の機能を備え、宅内網の機器に関する識別情報（ここでは、ＩＰアドレスを用いるものとする）の取得の機能を備える。
【００３９】
宅内サーバ１１６は、センタサーバ２００との通信機能を用いることにより、広域網ＮＴに接続された通信端末からセンタサーバ２００を通して宅内の機器の監視や制御を可能にする。センタサーバ２００は、宅内の機器と広域網ＮＴ上の通信端末とを仲介する。
【００４０】
通信端末から宅内の機器の監視や制御を行う場合は、監視や制御の要求をセンタサーバ２００に記憶させ、宅内の機器は定期的に片方向のポーリング通信を行うことにより、通信端末からの監視や制御の要求を受信する。この動作により、通信端末から宅内の機器の監視や制御が可能になる。
【００４１】
また、宅内の機器において火災検知など通信端末に通知すべきイベントが生じたときには、宅内の機器からセンタサーバ２００に通知し、センタサーバ２００から通信端末に対して電子メールによる通知を行う。
【００４２】
宅内サーバ１１６における宅内網との通信機能のうち重要な機能は、宅内網を構成する機器の検出と管理である。宅内サーバ１１６では、ＵＰｎＰ（Universal Plug and Play）を応用して宅内網に接続された機器を自動的に検出する。宅内サーバ１１６はブラウザ機能を有する表示器１１７を備え、検出した機器の一覧を表示器１１７に表示する。この表示器１１７はタッチパネル式もしくは操作部が付設された構成を有し、表示器１１７の画面に表示された選択肢から所望の内容を選択する操作が可能になっている。したがって、宅内サーバ１１６の利用者（施工業者あるいは家人）は、表示器１１７の画面上で機器の監視ないし制御が可能になる。表示器１１７は宅内サーバ１１６とは分離して設けてもよい。
【００４３】
宅内サーバ１１６では、機器の接続に関する情報を管理しており、宅内網に接続された機器の種類や機能とアドレスとを把握する。したがって、宅内網の機器を連動動作させることができる。機器の接続に関する情報は上述のように自動的に検出されるが、機器を連動動作させるには、機器自身が保有する属性により自動的に関係付けを行うほか、宅内サーバ１１６にパーソナルコンピュータのような情報端末を接続し、情報端末のブラウザ機能を利用して機器の関係付けを行うこともできる。
【００４４】
機器の連動動作の関係は各機器がそれぞれ保持する。したがって、機器は宅内サーバ１１６を通すことなく連動動作することができる。各機器について、連動動作の関係付けを行うことにより、たとえば、機器であるスイッチの操作により、機器である照明器具の点灯あるいは消灯の動作を行うことが可能になる。また、連動動作の関係付けはサブシステム内で行うことが多いが、サブシステムを超える関係付けも可能である。
【００４５】
ところで、直流電力供給部１０１は、基本的には、商用電源のように宅外から供給される交流電源ＡＣの電力変換により直流電力を生成する。図示する構成では、交流電源ＡＣは、分電盤１１０に内器として取り付けられた主幹ブレーカ１１１を通して、スイッチング電源を含むＡＣ／ＤＣコンバータ１１２に入力される。ＡＣ／ＤＣコンバータ１１２から出力される直流電力は、協調制御部１１３を通して各直流ブレーカ１１４に接続される。
【００４６】
直流電力供給部１０１には、交流電源ＡＣから電力が供給されない期間（たとえば、商用電源ＡＣの停電期間）に備えて二次電池１６２が設けられている。また、直流電力を生成する太陽電池１６１や燃料電池１６３を併用することも可能になっている。交流電源ＡＣから直流電力を生成するＡＣ／ＤＣコンバータ１１２を備える主電源に対して、太陽電池１６１や二次電池１６２や燃料電池１６３は分散電源になる。なお、図示例において、太陽電池１６１、二次電池１６２、燃料電池１６３は出力電圧を制御する回路部を含み、二次電池１６２は放電だけではなく充電を制御する回路部も含んでいる。
【００４７】
分散電源のうち太陽電池１６１や燃料電池１６３は必ずしも設けなくてもよいが、二次電池１６２は設けるのが望ましい。二次電池１６２は主電源や他の分散電源により適時充電され、二次電池１６２の放電は、交流電源ＡＣから電力が供給されない期間だけではなく必要に応じて適時に行われる。二次電池１６２の充放電や主電源と分散電源との協調は、協調制御部１１３により行われる。すなわち、協調制御部１１３は、直流電力供給部１０１を構成する主電源および分散電源から直流機器１０２への電力の配分を制御する直流電力制御部として機能する。なお、太陽電池１６１、二次電池１６２、燃料電池１６３の出力を交流電力に変換し、ＡＣ／ＤＣコンバータ１１２の入力電力として用いる構成を採用してもよい。
【００４８】
直流機器１０２の駆動電圧は機器に応じた複数種類の電圧から選択されるから、協調制御部１１３にＤＣ／ＤＣコンバータを設け、主電源および分散電源から得られる直流電圧を必要な電圧に変換するのが望ましい。通常は、１系統のサブシステム（もしくは１台の直流ブレーカ１１４に接続された直流機器１０２）に対して１種類の電圧が供給されるが、１系統のサブシステムに対して３線以上を用いて複数種類の電圧を供給するように構成してもよい。あるいはまた、直流供給線路Ｗｄｃを２線式とし、線間に印加する電圧を時間経過に伴って変化させる構成を採用することも可能である。ＤＣ／ＤＣコンバータは、直流ブレーカと同様に複数に分散して設けてもよい。
【００４９】
上述の構成例では、ＡＣ／ＤＣコンバータ１１２を１個だけ図示しているが、複数個のＡＣ／ＤＣコンバータ１１２を並設することが可能であり、複数個のＡＣ／ＤＣコンバータ１１２を設けるときには、負荷の大きさに応じて運転するＡＣ／ＤＣコンバータ１１２の台数を増減させるのが望ましい。
【００５０】
上述したＡＣ／ＤＣコンバータ１１２、協調制御部１１３、直流ブレーカ１１４、太陽電池１６１、二次電池１６２、燃料電池１６３には通信機能が設けられており、主電源および分散電源や直流機器１０２を含む負荷の状態に対処する連携動作を行うことを可能にしている。この通信に用いる通信信号は、直流機器２に用いる通信信号と同様に直流電圧に重畳する形式で伝送する。
【００５１】
上述の例では主幹ブレーカ１１１から出力された交流電力をＡＣ／ＤＣコンバータ１１２により直流電力に変換するために、ＡＣ／ＤＣコンバータ１１２を分電盤１１０内に配置しているが、主幹ブレーカ１１１の出力側において分電盤１１０内に設けた分岐ブレーカ（図示せず）で交流供給線路を複数系統に分岐し、各系統の交流供給線路にＡＣ／ＤＣコンバータを設けて系統ごとに直流電力に変換する構成を採用してもよい。
【００５２】
この場合、家屋Ｈの各階や各部屋を単位として直流電力供給部１０１を設けることができるから、直流電力供給部１０１を系統別に管理することができ、しかも、直流電力を利用する直流機器１０２との間の直流供給線路Ｗｄｃの距離が小さくなるから、直流供給線路Ｗｄｃでの電圧降下による電力損失を低減させることができる。また、主幹ブレーカ１１１および分岐ブレーカを分電盤１１０に収納し、ＡＣ／ＤＣコンバータ１１２と協調制御部１１３と直流ブレーカ１１４と宅内サーバ１１６とを分電盤１１０とは別の盤に収納してもよい。
【００５３】
以下では、上述したＤＣ配電システムにおいて照明システムＫ１０２を構築する照明器具（直流機器１０２）に具備される光源点灯装置に本発明を適用した例を説明するが、本発明はこの種の照明器具以外の機器に具備される光源点灯装置にも適用することができる。ここで、直流アウトレットから直流機器１０２に印加される直流電圧の大きさは、交流の商用電源に比較して低く（たとえば２４Ｖ、５０Ｖなど）設定されている。
【００５４】
（実施形態１）
本実施形態の光源点灯装置１は、図１に示すように直流電源Ｅ（直流電力供給部１０１）に対し一対の直流供給線路Ｗｄｃを介して接続され、直流電源Ｅからの直流電力の供給を受けて光源２を点灯させるものである。ここでは、光源２として、自己に流れる電流Ｉｌａの大きさを光出力の大きさに反映する発光ダイオード（ＬＥＤ）を採用している。
【００５５】
光源点灯装置１の具体構成について図３を参照して説明する。光源点灯装置１は、直流供給線路Ｗｄｃを介して直流電源Ｅに接続される一対の直流入力端Ｔ１，Ｔ２間に、光源２に流す電流を制御する電流制御回路３と、直流供給線路Ｗｄｃから直流入力端Ｔ１，Ｔ２間に印加される電圧を入力電圧Ｖｉｎとして検出する電圧検出部（電圧検出手段）４と、直流供給線路Ｗｄｃから電流制御回路３に流れる電流を入力電流Ｉｉｎとして検出する電流検出部（電流検出手段）１０とを有している。
【００５６】
電流制御回路３は、直流入力端Ｔ１，Ｔ２間に電流検出部１０を介して接続されたスイッチング素子Ｑ１とインダクタＬ１とコンデンサＣ１との直列回路と、スイッチング素子Ｑ１とインダクタＬ１との接続点側にカソードを接続するようにインダクタＬ１およびコンデンサＣ１の直列回路の両端間に接続されたダイオードＤ１と、後述する制御部６からの駆動信号に従ってスイッチング素子Ｑ１をオンオフする駆動回路５とを備えた降圧チョッパ回路を有する。さらに、コンデンサＣ１の一端は、光源２に接続される一対の出力端Ｔ３，Ｔ４の一方に接続され、コンデンサＣ１の他端は、抵抗Ｒ３を介して出力端Ｔ３，Ｔ４の他端に接続される。これにより、コンデンサＣ１の両端に生じる電圧に応じた電流が光源２および抵抗Ｒ３の直列回路に流れることとなる。また、コンデンサＣ１の両端間には一対の抵抗Ｒ４，Ｒ５を直列接続してなる出力電圧検出部が設けられる。なお、スイッチング素子Ｑ１としてはＭＯＳＦＥＴを用いている。
【００５７】
ここにおいて、コンデンサＣ１の両端に生じる電圧の大きさは、制御部６から駆動回路５に出力される駆動信号によりスイッチング素子Ｑ１がオンオフ制御されることにより制御される。制御部６は、抵抗Ｒ５の両端電圧に基づいてコンデンサＣ１の両端間に生じるランプ電圧Ｖｌａの大きさを監視し、さらに抵抗Ｒ３の両端電圧に基づいて光源２に流れるランプ電流Ｉｌａを監視する。なお、ランプ電圧Ｖｌａは電流制御回路３の異常動作等の検出に用いられ、制御部６は、電流制御回路３の異常動作時にはスイッチング素子Ｑ１をオフにして電流制御回路３の出力を停止させる。
【００５８】
電圧検出部４は一対の直流入力端Ｔ１，Ｔ２間に接続された抵抗Ｒ１，Ｒ２の直列回路からなり、制御部６は、電圧検出部４を構成する抵抗Ｒ２の両端電圧に基づいて、直流供給線路Ｗｄｃから光源点灯装置１に入力される入力電圧Ｖｉｎを監視する。
【００５９】
電流検出部１０は一方の直流入力端Ｔ２と電流制御回路３のダイオードＤ１のアノードとの間に接続された抵抗Ｒ０からなり、制御部６は、抵抗Ｒ０の両端電圧に基づいて、直流供給線路Ｗｄｃから光源点灯装置１に入力される入力電流Ｉｉｎを監視する。ここで、直流供給線路Ｗｄｃから光源点灯装置１に供給される電力を入力電力Ｗｉｎとすると、入力電力Ｗｉｎは入力電圧Ｖｉｎと入力電流Ｉｉｎとの積で表される（Ｗｉｎ＝Ｖｉｎ×Ｉｉｎ）。
【００６０】
ところで、本実施形態の光源点灯装置１において、制御部６は、直流供給線路ＷｄｃのインピーダンスＺ（図５（ｂ）参照）を測定する測定手段としての機能と、測定された直流供給線路ＷｄｃのインピーダンスＺの大きさに基づいて光源２の光出力φ（図４（ａ）参照）の大きさを制御する制御手段としての機能とを有している。
【００６１】
以下ではまず、測定手段としての制御部６の構成および機能について説明する。
【００６２】
本実施形態の制御部６は、互いに光源２の光出力φの大きさが異なる第１動作状態および第２動作状態の２つの動作状態を切り替え可能に構成されており、第１動作状態における入力電圧Ｖｉｎ（以下、Ｖ１とする）と第２動作状態における入力電圧Ｖｉｎ（以下、Ｖ２とする）との差分（つまり、Ｖ１−Ｖ２）を、第２動作状態における入力電流Ｉｉｎ（以下、Ｉ２とする）と第１動作状態における入力電流Ｉｉｎ（以下、Ｉ１とする）との差分（Ｉ２−Ｉ１）で除することにより直流供給線路ＷｄｃのインピーダンスＺを測定する。
【００６３】
具体的に説明すると、制御部６は、直流供給線路ＷｄｃのインピーダンスＺを測定する期間（以下、測定期間という）において、スイッチング素子Ｑ１のオンオフ制御により図４（ａ）に示すように光源２を定常点灯時の光出力φ２よりも低い光出力φ１で点灯させる第１動作状態（図４の時刻Ｔ０〜Ｔ１）で電流制御回路３を動作させた後、光源２を定常点灯時の光出力φ２で点灯させる第２動作状態（図４の時刻Ｔ１〜Ｔ２）で電流制御回路３を動作させる。なお、図４（ａ）〜（ｃ）において時刻Ｔ０までの期間は、スイッチング素子Ｑ１をオフして電流制御回路３の出力を停止することにより、光源２を消灯状態としている。
【００６４】
ここに、本実施形態では、光源点灯装置１から光源２への電力供給が開始して光源２が点灯した時点（図４の時刻Ｔ０）から所定の測定時間経過して光源２の点灯状態が安定するまでの期間（図４の時刻Ｔ０〜Ｔ２）を上記測定期間としており、当該測定期間のうち第１動作状態が占める割合と第２動作状態が占める割合とが同等になるように２つの動作状態を切り替えている。このように光源２の点灯直後に測定期間を設定することで、光源２が点灯した時点から測定時間経過後の定常点灯時においては、第１動作状態と第２動作状態とが切り替わることで光源２にちらつきが生じることを回避できるという利点がある。
【００６５】
第１動作状態と第２動作状態とを比較すると、第２動作状態の方が第１動作状態よりも光源点灯装置１の出力（つまり、光源２の光出力φ）が高いので、光源点灯装置１の入力電力Ｗｉｎは第１動作状態に比べて第２動作状態で高くなる。このとき、直流電源Ｅの出力電圧Ｖｏは一定であるため、光源点灯装置１の入力電力Ｗｉｎの上昇に伴い入力電流Ｉｉｎが上昇するから、図４（ｂ）に示すように第１動作状態での入力電流Ｉ１よりも第２動作状態での入力電流Ｉ２が高くなる。また、入力電流Ｉｉｎが上昇すると、直流供給線路Ｗｄｃに流れる電流の上昇に伴い直流供給線路ＷｄｃのインピーダンスＺによって生じる電圧降下が大きくなり、入力電圧Ｖｉｎは低下するから、図４（ｃ）に示すように第１動作状態での入力電圧Ｖ１より第２動作状態での入力電圧Ｖ２が低くなる。
【００６６】
ここにおいて、直流電源Ｅの出力電圧Ｖｏと直流供給線路ＷｄｃのインピーダンスＺと入力電圧Ｖｉｎと入力電流Ｉｉｎとの間にはＶｉｎ＝Ｖｏ−Ｉｉｎ×Ｚの関係が成立するから、第１動作状態での入力電圧Ｖ１は第１動作状態での入力電流Ｉ１を用いてＶ１＝Ｖｏ−Ｉ１×Ｚで表され、第２動作状態での入力電圧Ｖ２は第２動作状態での入力電流Ｉ２を用いてＶ２＝Ｖｏ−Ｉ２×Ｚで表される。したがって、制御部６は、（Ｖ１−Ｖ２）／（Ｉ２−Ｉ１）の演算を行うことで、直流供給線路ＷｄｃのインピーダンスＺを求めることができる。
【００６７】
また、本実施形態では、制御部６は、図５（ａ）に示すように第１動作状態から第２動作状態に切り替える測定期間（図５の時刻Ｔ１０〜Ｔ１２）を繰り返し設けることにより、図５（ｂ）に示すように直流供給線路ＷｄｃのインピーダンスＺの測定を間隔を空けて繰り返し行うものとする。なお、測定期間の間隔は、一定時間であってもよいしランダムに設定されるものであってもよい。
【００６８】
次に、制御手段としての制御部６の構成および機能について説明する。
【００６９】
本実施形態の制御部６は、測定期間が経過した時点（図４および図５の時刻Ｔ２，Ｔ１２）で、上述のようにして求まった直流供給線路ＷｄｃのインピーダンスＺを所定の閾値Ｚｔｈと比較し、当該インピーダンスＺが閾値Ｚｔｈ以上か否かを判断する。
【００７０】
そして、図５に示すように、上記インピーダンスＺが閾値Ｚｔｈ以上でなければ（つまり、Ｚ＜Ｚｔｈであれば）、制御部６は光源２の光出力φが定常点灯時の光出力φ２となるように、スイッチング素子Ｑ１のオンオフ制御によって電流制御回路３の出力を制御する（図５の時刻Ｔ１２以降）。一方、上記インピーダンスＺが閾値Ｚｔｈ以上であれば（つまり、Ｚ≧Ｚｔｈであれば）、制御部６は光源２の光出力φが定常点灯時より低い光出力φ３となるように、スイッチング素子Ｑ１のオンオフ制御によって電流制御回路３の出力を制御する（図５の時刻Ｔ２〜Ｔ１０）。なお、ここでは定常点灯時より低い光出力φ３を第１動作状態における光源２の光出力φ１よりも低く設定している。
【００７１】
具体的に説明すると、測定された直流供給線路ＷｄｃのインピーダンスＺが閾値Ｚｔｈ未満のとき、制御部６は、光源２に流れるランプ電流Ｉｌａが所定値（たとえば、定格ランプ電流）に維持された定電流となるように電流制御回路３のスイッチング素子Ｑ１をオンオフ制御する。ここで、光源２は自己に流れる電流の大きさを光出力φの大きさに反映する発光ダイオードであるから、光源２に定電流を流すように制御することにより、光源２の光出力φは一定（定常点灯時の光出力φ２）に維持される。一方、測定された直流供給線路ＷｄｃのインピーダンスＺが閾値Ｚｔｈ以上のとき、制御部６は、光源２に流れるランプ電流Ｉｌａが前記所定値より小さくなるように電流制御回路３のスイッチング素子Ｑ１をオンオフ制御する。このように光源２に流す電流を小さくすることにより、光源２の光出力φは定常点灯時の光出力φ２より低い光出力φ３となる。
【００７２】
ここでは、光源２に流すランプ電流Ｉｌａを低下させるにあたり、スイッチング素子Ｑ１のオンデューティを変化させるＰＷＭ制御によってランプ電流Ｉｌａの大きさ（絶対値）を小さくする方法を採用するが、その他、たとえばランプ電流Ｉｌａを周期的に出力するようにし、単位時間当たりにランプ電流Ｉｌａを流す時間の長さを調整することにより、ランプ電流Ｉｌａを低下させるようにしてもよい。
【００７３】
以上説明した構成によれば、直流供給線路ＷｄｃのインピーダンスＺが閾値Ｚｔｈ未満のときには、入力電圧Ｖｉｎの変動にかかわらず光源２に定電流を流すことで光源２を定常点灯時の光出力φ２で点灯させることができる。一方で、たとえば直流供給線路Ｗｄｃの劣化などにより直流供給線路ＷｄｃのインピーダンスＺが閾値Ｚｔｈ以上に増加すると、直流電源Ｅと光源点灯装置１との間で生じる電圧降下が大きくなって入力電圧Ｖｉｎが低下するものの、光源２の光出力φを定常点灯時の光出力φ２より低い光出力φ３に抑えることで、入力電圧Ｖｉｎの低下に伴う直流供給線路Ｗｄｃからの入力電流Ｉｉｎの上昇を抑制することができる。
【００７４】
すなわち、直流供給線路ＷｄｃのインピーダンスＺが増加すると、光源点灯装置１の出力（ここでは、光源２に流れるランプ電流Ｉｌａ）を下げることにより、光源点灯装置１の入力電力Ｗｉｎ（＝Ｖｉｎ×Ｉｉｎ）を低下させることができるので、入力電力Ｗｉｎを一定に保つ場合のように入力電圧Ｖｉｎの低下に伴い入力電流Ｉｉｎが上昇してしまうことを防止することができる。その結果、入力電圧Ｖｉｎの低下に伴って直流供給線路Ｗｄｃに流れる電流が上昇することを抑制でき、直流供給線路Ｗｄｃに流れる電流の上昇に伴い直流電源Ｅと光源点灯装置１との間で生じる電圧降下がさらに大きくなることを防止できるので、直流供給線路ＷｄｃのインピーダンスＺが増加したことに起因して光源点灯装置１への入力電圧Ｖｉｎが低下したときに、当該入力電圧Ｖｉｎのさらなる低下を防止することができる。したがって、たとえば光源２を点灯させることができない、あるいは光源点灯装置１と同じ直流供給線路Ｗｄｃに接続されている他の負荷が、直流供給線路Ｗｄｃから入力される電圧の低下により正常に動作しなくなるなどの不具合を回避することができる。
【００７５】
しかも、本実施形態では、直流供給線路ＷｄｃのインピーダンスＺは、第１動作状態における入力電圧Ｖ１および入力電流Ｉ１と、第２動作状態における入力電圧Ｖ２および入力電流Ｉ２とを用いて制御部６で測定されるので、直流供給線路ＷｄｃのインピーダンスＺを直流供給線路Ｗｄｃの光源点灯装置１側のみで測定することができ、直流供給線路ＷｄｃのインピーダンスＺを測定する手段を光源点灯装置１と別途設ける必要がなく、また、直流供給線路Ｗｄｃを通して直流電源Ｅから光源点灯装置１への電力供給を継続したままの状態で測定することができるといった利点がある。
【００７６】
なお、直流供給線路ＷｄｃのインピーダンスＺが閾値Ｚｔｈ以上となった際に光源２の光出力φを低下させるので、使用者に対して異常（直流供給線路ＷｄｃのインピーダンスＺが増加している）状態にあることを光出力φの低下によって報知できるという利点もある。
【００７７】
ところで、本実施形態では上述したように、制御部６が直流供給線路ＷｄｃのインピーダンスＺの測定を繰り返し行っている。そして、光源２の光出力φを定常点灯時より低く抑えているときに、測定された直流供給線路ＷｄｃのインピーダンスＺが閾値を下回ると、制御部６は光源２の光出力φを定常点灯時の光出力φ２まで上昇させるように電流制御回路３を制御するものとする。これにより、たとえば直流供給線路Ｗｄｃの劣化などにより直流供給線路ＷｄｃのインピーダンスＺが一旦は閾値Ｚｔｈ以上となり、１回目の測定期間において当該インピーダンスＺが閾値Ｚｔｈ以上にあると判断され光源２の光出力φが光出力φ３に抑制されても、直流供給線路Ｗｄｃの交換や補修などにより直流供給線路ＷｄｃのインピーダンスＺが閾値Ｚｔｈを下回ると、当該インピーダンスＺが閾値Ｚｔｈを下回ったことが次回の測定期間に制御部６で認識され、自動的に、光源２の光出力φを定常点灯時の光出力φ２に復帰させることができる。
【００７８】
また、本実施形態では、光源２の光出力φについて、第２動作状態における光出力φ２を定常点灯時の光出力φ２と同値に設定し、第１動作状態における光出力φ１を定常点灯時の光出力φ２よりも低く設定し、且つ直流供給線路ＷｄｃのインピーダンスＺが閾値Ｚｔｈ以上のときの光出力φ３を第１動作状態における光出力φ１よりもさらに低く設定している（つまり、φ３＜φ１＜φ２）が、各光出力φの関係はこの例に限るものではない。たとえば、第２動作状態における光出力を定常点灯時の光出力φ２と異なる値に設定したり、あるいは第１動作状態における光出力を第２動作状態における光出力よりも高く設定したりしてもよい。さらに、第１動作状態あるいは第２動作状態の光出力φをゼロ（つまり光源２の消灯状態における光出力φ０）として、制御部６が、測定期間において光源２を点灯させる状態と消灯させる状態とを切り替えることで第１動作状態と第２動作状態とを切り替えるようにしてもよい。
【００７９】
なお、上記実施形態では光源２として発光ダイオードを用いる例を示したが、発光ダイオードに限らず、たとえば有機ＥＬなど、自己に流れる電流の大きさを光出力の大きさに反映する光源２を用いる場合には、上記実施形態と同様の回路を採用することができる。
【００８０】
（実施形態２）
本実施形態の光源点灯装置１は、光源２として、自己へ供給される電力の大きさを光出力の大きさに反映する高輝度放電灯（ＨＩＤランプ）を採用している点が実施形態１の光源点灯装置１と相違する。
【００８１】
本実施形態の光源点灯装置１の具体構成について図６を参照して説明する。光源点灯装置１は、直流入力端Ｔ１，Ｔ２間に、電圧検出部４と、電流検出部１０としての抵抗Ｒ０と、光源２に供給する電力の大きさを制御する電力制御回路７とを有し、さらに、電力制御回路７の出力する直流電力を交流電力に変換する電力変換回路８と、電力変換回路８と一対の出力端Ｔ３，Ｔ４との間に挿入される共振回路９とを有している。
【００８２】
電力制御回路７は、実施形態１の電流制御回路３と同様の降圧チョッパ回路からなり、コンデンサＣ１の一端を電力変換回路８の一方の入力端に接続し、コンデンサＣ１の他端を抵抗Ｒ３を介して電力変換回路８の他方の入力端に接続している。
【００８３】
電力変換回路８は、電力制御回路７のコンデンサＣ１の両端間に接続されたスイッチング素子Ｑ２〜Ｑ５のフルブリッジ回路で構成される。つまり、コンデンサＣ１の両端間には、スイッチング素子Ｑ２，Ｑ４の直列回路と、スイッチング素子Ｑ３，Ｑ５の直列回路とが並列に接続されており、スイッチング素子Ｑ２，Ｑ５がオンでスイッチング素子Ｑ３，Ｑ４がオフの期間と、スイッチング素子Ｑ３，Ｑ４がオンでスイッチング素子Ｑ２，Ｑ５がオフの期間とを交互に切り替えることにより、スイッチング素子Ｑ２，Ｑ４の接続点とスイッチング素子Ｑ３，Ｑ５の接続点との間に交流電力を発生する。ここで、各スイッチング素子Ｑ２〜Ｑ５はそれぞれＭＯＳＦＥＴからなり、制御部６によってオンオフ制御される。
【００８４】
スイッチング素子Ｑ２とスイッチング素子Ｑ４との接続点は、インダクタＬ２を介して一方の出力端Ｔ３に接続され、スイッチング素子Ｑ３とスイッチング素子Ｑ５との接続点は、他方の出力端Ｔ４に接続される。共振回路９は、前記インダクタＬ２と、両出力端Ｔ３，Ｔ４間に挿入されるコンデンサＣ２とで構成される。
【００８５】
制御部６は、抵抗Ｒ５の両端電圧に基づいてコンデンサＣ１の両端間に生じるランプ電圧Ｖｌａの大きさを監視し、さらに抵抗Ｒ３の両端電圧に基づいて光源２に流れるランプ電流Ｉｌａを監視する。ここで、光源２に供給される電力をランプ電力Ｗｌａとすると、ランプ電力Ｗｌａはランプ電圧Ｖｌａとランプ電流Ｉｌａとの積で表される（Ｗｌａ＝Ｖｌａ×Ｉｌａ）。なお、ランプ電圧Ｖｌａは電力制御回路７の異常動作やランプ切れ等の検出に用いられ、制御部６は、電力制御回路７の異常動作時やランプ切れ時にはスイッチング素子Ｑ１をオフにして電力制御回路７の出力を停止させる。
【００８６】
ところで、本実施形態の光源点灯装置１においては、制御部６で測定された直流供給線路ＷｄｃのインピーダンスＺが閾値Ｚｔｈ未満のとき、制御部６は、光源２へ供給するランプ電力Ｗｌａが所定値（たとえば、定格ランプ電力）に維持された定電力となるように電力制御回路７のスイッチング素子Ｑ１をオンオフ制御する。ここで、光源２は自己へ供給される電力の大きさを光出力φの大きさに反映する高輝度放電灯であるから、光源２に定電力を供給するように制御することにより、光源２の光出力φは一定（定常点灯時の光出力φ２）に維持される。一方、測定された直流供給線路ＷｄｃのインピーダンスＺが閾値Ｚｔｈ以上のとき、制御部６は、光源２へ供給するランプ電力Ｗｌａが前記所定値より小さくなるように電力制御回路７のスイッチング素子Ｑ１をオンオフ制御する。このように光源２への供給電力を小さくすることにより、光源２の光出力φは定常点灯時の光出力φ２より低い光出力φ３となる。
【００８７】
なお、上記実施形態では光源２として高輝度放電灯を用いる例を示したが、高輝度放電灯に限らず、たとえば蛍光灯など、自己へ供給される電力の大きさを光出力の大きさに反映する光源２を用いる場合には、上記実施形態と同様の回路を採用することができる。
【００８８】
その他の構成および機能は実施形態１と同様である。
【００８９】
ところで、上述の各実施形態における光源点灯装置１を照明器具（直流機器１０２）の器具本体（図示せず）に備えることで、たとえば天井や壁等に取り付けられ室内を照明する室内照明や、壁面の下部に取り付けられ床面の一部に光を照射する足元灯など、種々の照明器具に本発明の光源点灯装置１を用いることができる。
【図面の簡単な説明】
【００９０】
【図１】本発明の実施形態１の概略構成図である。
【図２】同上の光源点灯装置が用いられるＤＣ配電システムを示すシステム構成図である。
【図３】同上の構成を示す概略回路図である。
【図４】同上の動作を示し、（ａ）は光出力のタイムチャート、（ｂ）は入力電流のタイムチャート、（ｃ）は入力電圧のタイムチャートである。
【図５】同上の動作を示し、（ａ）は光出力のタイムチャート、（ｂ）は測定されたインピーダンスのタイムチャートである。
【図６】本発明の実施形態２の構成を示す概略回路図である。
【符号の説明】
【００９１】
１  光源点灯装置
２  光源
４  電圧検出部（電圧検出手段）
６  制御部（測定手段、制御手段）
１０  電流検出部（電流検出手段）
１０２  直流機器（照明器具）
Ｅ  直流電源
Ｉｉｎ  入力電流
Ｉ１  第１動作状態における入力電流
Ｉ２  第２動作状態における入力電流
Ｉｌａ  ランプ電流
Ｖｉｎ  入力電圧
Ｖ１  第１動作状態における入力電圧
Ｖ２  第２動作状態における入力電圧
Ｗｄｃ  直流供給線路
Ｗｌａ  ランプ電力
Ｚ  インピーダンス
Ｚｔｈ  閾値
φ  光出力
φ２  定常点灯時の光出力
【図１】
0005260953.tif 000002
【図２】
0005260953.tif 000003
【図３】
0005260953.tif 000004
【図４】
0005260953.tif 000005
【図５】
0005260953.tif 000006
【図６】
0005260953.tif 000007